(57)【要約】      （修正有）【課題】ゴミ収集用の指定袋である取っ手部付ゴミ袋のゴミ袋固定箱を提供する。【解決手段】ゴミ袋固定箱１にゴミ袋４を入れてゴミ袋の取っ手５をスリット部２に差込み固定して、ゴミ袋の結びしろ６をゴミ袋固定箱１の接着部３に仮止めする。【選択図】図４
2010037088.tif 000002
【特許請求の範囲】
【請求項１】
ゴミ袋を利用したゴミ箱において、ゴミ袋を開いて固定できるように、ゴミ袋固定箱本体の上部に、ゴミ袋を固定するスリット部（切口）と接着部を有することを特徴とするゴミ袋固定箱。
【請求項２】
ゴミ袋を利用したゴミ箱において、ゴミ袋を開いて固定できるように、ゴミ袋固定箱本体の上部に、ゴミ袋を固定する突起部と接着部を有することを特徴とするゴミ袋固定箱。
【請求項３】
ゴミ袋を利用したゴミ箱において、ゴミ袋を開いて固定できるように、ゴミ袋固定箱本体の上部に、ゴミ袋を固定する別部品の突起部が取り付けられ、さらに接着部を有することを特徴とするゴミ袋固定箱。
【発明の詳細な説明】
【技術分野】
【０００１】
本発明はゴミ箱に関する内容で、ゴミ袋の扱い方を簡単にするためのものである。
【背景技術】
【０００２】
一般に今おこなわれているのはゴミ袋を利用可能な容器等、又は一般のゴミ箱に入れることで使用している。先に登録されている実用新案登録第3133502号・実用新案登録第3135710号のゴミ袋固定箱では、ゴミ袋とゴミ箱との寸法のに違いがにより、ゴミが十分に入れられない等の不便さがあった。
特開平９−２９０９０１において、ゴミ袋を固定する手段としての保持具が記載されているが、ゴミ袋を保持具へ固定してから、ゴミ箱へ固定する構造のため、取り付けにおける手間が課題となる。
【特許文献１】特開平９−２９０９０１
【発明の開示】
【発明が解決しようとする課題】
【０００３】
本発明はゴミ袋に合わせてゴミ箱を作り、固定しやすく、入れやすくするための内容である。最近はリサイクル推進の為、多くのゴミ箱を用意し分別しなければならない。市町村自治体によって異なるが、当自治体では燃えるゴミ1種類と、燃えないゴミ４種類と、合わせて５種類のゴミを分別することになっている。特定の寸法である収集するゴミ袋の扱い方は、家庭や職場で様々である。利用可能な容器にゴミ袋を入れているのが一番多い実施例と見えるが、そのまま入れにくいゴミ袋に直接入れているのも現状である。又別なゴミ箱に一旦入れて、それを収集袋に入れ替えることも多く実施されている。扱いにくいゴミ袋をゴミ箱にセットするのは大きさが違えば困難である。又ゴミ袋の入り口を固定しないため、入れにくいことが多い。現代のゴミの中で多いのはプラスチック容器及び包装類であり、ある程度圧縮しないとゴミ袋に満杯に入れられない。多くのゴミ袋を扱う現在、又確かな分別を推進するためにも、ゴミ袋やゴミ箱の取り扱い方を簡単にし、やり易い環境をつくっていく必要がある。
【課題を解決するための手段】
【０００４】
図１の様なゴミ袋（取っ手のある）４の固定の方法は、図３の様なゴミ袋固定箱１にゴミ袋４を入れ、請求項１のようにゴミ袋固定箱１の上部にあるスリット部２にゴミ袋の取っ手５を片側２個所ずつ差込み、対面も同様に２箇所差し込んでゴミ袋４を固定する。図３の如くに開いたゴミ袋４を挿入した状態が図４の如くとなる。さらに固定の方法はゴミ箱の形状によって様々に考えられ、請求項２の様に図６や図７の如く、取っ手状や棒状の突起部を設け、それに引っ掛けるようにした場合や、又請求項３の様に図９に示す如く、ゴミ袋の取っ手５引っ掛けることのできる、突起になる別の部品９を差し込んでおいて、これに引っ掛けてゴミ袋４を固定する。突起部の形状は前述のような形状が望ましいが、これに限定するものではない。又ゴミ袋固定箱１の接着部３でゴミ袋の結びしろ６を仮接着し、固定することでさらに入れやすくなる。尚、接着に使う両面テープは表裏の接着強度の違うものを用い、ゴミ袋固定箱１側に接着強度の大を貼り、ゴミ袋の結びしろ６側に接着強度の小を用い、接着部３を何度も使えるようにする。これらの方法でゴミ袋を固定した状態で満杯までゴミを入れることができる。ゴミを入れる場合、ゴミの内容によって様々になる。生ゴミの様にかなりの重量になる場合はゴミ袋の強度を考えて入れなければならないし、紙やプラスチック容器及び包装類は圧縮しないと十分な量が入らない。
【発明の効果】
【０００５】
この内容でゴミ袋を簡単に固定することができ、最終処分に出す特定のゴミ袋で、効率よく満杯にすることができる。使いよい状態にすることでゴミ集めの手間が省ける。市町村の自治体によって取り扱っているゴミ袋に違いがあると考えられるが、当自治体で多く使用されている特定の大きさのゴミ袋は（大）で30Ｌ用である。これに満杯にした場合、約40Ｌから45Ｌ入れることが出来る。これらから、ゴミ箱の大きさはおよそ28cm（幅）×36cm（奥行）×50cm（高さ）=50,400cm3が望ましいが45Ｌ入れで十分満杯に入れることができる。取っ手の穴を利用してゴミ袋を最大に開口した場合でも、約12cm×36cm=432cm2の広さで多少狭くなるが、固定してあるから楽に入れることが出来る。このゴミ袋固定箱は、スーパー等で使用しているレジ袋でも、ほぼ寸法が合う場合は同様の効果で使用することができる。ゴミ袋固定箱を使用することで、扱い困難なゴミ袋を使用しやすくし、ゴミのリサイクル推進に寄与すると考えられる。収集袋は有料であるため、多く入れることで節約できることになる。
【発明を実施するための最良の形態】
【０００６】
この発明を実施するための最良の方法は、金型を作り、プラスチック成形品を作ることである。既存のゴミ箱を加工しても作ることができる。既存の製品に取っ手になる部品を取り付けて作ることも出来る。
【産業上の利用可能性】
【０００７】
本発明に係るゴミ袋固定箱は、工業的に量産する事が可能であるため、産業上の利用可能性を有する。
【図面の簡単な説明】
【０００８】
【図１】市販されている指定のゴミ袋の斜視図
【図２】ゴミ袋をゴミ袋固定箱に固定する場合の袋の状態を示す斜視図
【図３】ゴミ袋固定箱の斜視図
【図４】ゴミ袋をゴミ袋固定箱に入れた状態の斜視図
【図５】c方向から見た矢視図（スリット部の拡大図）
【図６】ゴミ袋の取っ手部を固定する逆Ｌ状の突起部の一例の斜視図
【図７】ゴミ袋の取っ手部を固定する棒状の突起の一例の斜視図
【図８】ゴミ袋の取っ手部を固定する逆Ｌ状の突起部の一例の断面図
【図９】ゴミ袋の取っ手部を固定する棒状の突起部の一例の断面図
【図１０】ゴミ袋の取っ手部を固定する一例の別部品の突起部の断面図
【符号の説明】
【０００９】
１  ゴミ袋固定箱
２  固定用スリット部    
３  接着部
４  ゴミ袋
５  ゴミ袋の取っ手
６  ゴミ袋の結びしろ
７  逆Ｌ字状突起部
８  棒状突起部
９  別部品による突起部
【図１】
2010037088.tif 000003
【図２】
2010037088.tif 000004
【図３】
2010037088.tif 000005
【図４】
2010037088.tif 000006
【図５】
2010037088.tif 000007
【図６】
2010037088.tif 000008
【図７】
2010037088.tif 000009
【図８】
2010037088.tif 000010
【図９】
2010037088.tif 000011
【図１０】
2010037088.tif 000012